(57)【要約】【課題】１つの光源で２方向に照光可能な構成としつつ、照光ムラを抑制し、小型化、低コスト化を図ること。【解決手段】照光装置は、光を発光する発光面を有する光源と、上記光源から発光された光が入射される受光面と、当該入射された光をそれぞれ異なる方向に出力する２つの照光面と、を有するレンズと、を備える。さらに、上記レンズは、上記受光面から少なくとも１つの上記照光面にかけて屈曲した形状に形成されていると共に、当該レンズ内を通過する光を拡散させる拡散部材にて形成されている。【選択図】図４
2009277508.tif 000002
【特許請求の範囲】
【請求項１】
光を発光する発光面を有する光源と、
前記光源から発光された光が入射される受光面と、当該入射された光をそれぞれ異なる方向に出力する２つの照光面と、を有するレンズと、
を備えた照光装置であって、
前記レンズは、前記受光面から少なくとも１つの前記照光面にかけて屈曲した形状に形成されていると共に、当該レンズ内を通過する光を拡散させる拡散部材にて形成されている、
ことを特徴とする照光装置。
【請求項２】
前記２つの照光面は、相互に反対方向を向いて形成されており、
前記レンズは、前記受光面から前記各照光面にかけてそれぞれ屈曲した形状に形成されている、
ことを特徴とする請求項１記載の照光装置。
【請求項３】
前記レンズは、前記受光面から前記各照光面にかけてそれぞれ直角に屈曲して略Ｔ字形状に形成されている、
ことを特徴とする請求項２記載の照光装置。
【請求項４】
前記レンズは、前記直角に屈曲した部分の前記受光面側とは反対側に、前記レンズの内部側で光を反射する反射面を有する、
ことを特徴とする請求項３記載の照光装置。
【請求項５】
前記反射面は、前記受光面からの光を前記各照光面の形成個所方向に向かって反射するよう形成されている、
ことを特徴とする請求項４記載の照光装置。
【請求項６】
前記反射面は、前記受光面からの光を拡散して反射するよう形成されている、
ことを特徴とする請求項４又は５記載の照光装置。
【請求項７】
光を発光する発光面を有する光源と、
前記光源から発光された光が入射される受光面と、当該入射された光をそれぞれ異なる方向に出力する２つの照光面と、を有するレンズと、
前記２つの照光面をそれぞれ外部に露出する各照光穴が形成された筺体と、
を備えた情報処理端末であって、
前記レンズは、前記受光面から少なくとも１つの前記照光面にかけて屈曲した形状に形成されていると共に、当該レンズ内を通過する光を拡散させる拡散部材にて形成されている、
ことを特徴とする情報処理端末。
【請求項８】
前記２つの照光面は、相互に反対方向を向いて形成され、前記筺体の相互に反対方向を向く２面にそれぞれ形成された前記各照光穴からそれぞれ露出しており、
前記レンズは、前記受光面から前記各照光面にかけてそれぞれ屈曲した形状に形成されている、
ことを特徴とする請求項７記載の情報処理端末。
【請求項９】
前記レンズは、前記受光面から前記各照光面にかけてそれぞれ直角に屈曲して略Ｔ字形状に形成されている、
ことを特徴とする請求項８記載の情報処理端末。
【請求項１０】
前記レンズは、前記直角に屈曲した部分の前記受光面側とは反対側に、前記レンズの内部側で光を反射する反射面を有する、
ことを特徴とする請求項９記載の情報処理端末。
【請求項１１】
前記反射面は、前記受光面からの光を前記各照光面の形成個所方向に向かって反射するよう形成されている、
ことを特徴とする請求項１０記載の情報処理端末。
【請求項１２】
前記反射面は、前記受光面からの光を拡散して反射するよう形成されている、
ことを特徴とする請求項１０又は１１記載の情報処理端末。
【発明の詳細な説明】
【技術分野】
【０００１】
本発明は、照光装置にかかり、特に、１つの光源で２方向に照光可能な照光装置に関する。
【背景技術】
【０００２】
様々な電子機器において、機器の状態などを報知するために、照光装置が装備されている。そして、照光装置は、例えば、図１に示すような構成を採っている。この図に示すように、照光装置は、電子機器の筺体１００内部に設けられた光源であるＬＥＤ１１０と、このＬＥＤ１１０からの光を筺体１００外部に照光するイルミネーションレンズ１２０と、を備えている。また、上記イルミネーションレンズ１２０は、筺体１００に形成された穴から外部に照光面１２２が露出すると共に、受光面１２１がＬＥＤ１１０の発光面１１１に対向するよう近接して配置されている。このとき、上記ＬＥＤ１１０の発光面１１１と、イルミネーションレンズ１２０の受光面１２１と照光面１２２とは、同一直線上に位置するよう配置されている。
【０００３】
上記構成によると、ＬＥＤ１１０の発光面１１１から発光された光は、矢印Ｏに示すように、イルミネーションレンズ１２０の受光面１２１で受光され、当該受光面１２１から発光面１２２へと透過し、筺体１００外部に照光される。
【０００４】
【特許文献１】特開２００２−１０８２５６号公報
【発明の開示】
【発明が解決しようとする課題】
【０００５】
しかしながら、上述した照光装置では、ＬＥＤ１１０からの光が直接、照光面１２２に透過して外部に照光されるため、照光ムラが生じうる。例えば、照光面１２２がＬＥＤ１１０よりも大きい形状の場合には、ＬＥＤ１１０の形状がそのまま照光面１２２に映し出される、といったデザイン上の不都合が生じる。
【０００６】
また、上述した照光装置では、１つの光源から１方向にのみ照光しているため、複数方向に照光したい場合に対応することができない。このため、複数方向への照光を実現する場合には、機器の部品点数が増加し、コストの増大という問題や、部品搭載スペースの増大によって機器の省スペース化を図ることができない、という問題が生じる。そして、かかる問題は、特に、携帯電話機などの電子機器の小型化が進んでいる現代においては、極めて重要な問題である。
【０００７】
一方で、特許文献１には、１つの光源で２方向に照光可能な形状のレンズが開示されている。ところが、特許文献１に開示のレンズは、光源からの光が直線的に照光面に透過して出力されるため、依然として上述同様に、照光ムラが生じうる。
【０００８】
このため、本発明の目的は、上述した課題である、１つの光源で２方向に照光可能な構成としつつ、照光ムラを抑制し、小型化、低コスト化を図ることができる照光装置を提供することをその目的とする。
【課題を解決するための手段】
【０００９】
かかる目的を達成するため本発明の一形態である照光装置は、
光を発光する発光面を有する光源と、
上記光源から発光された光が入射される受光面と、当該入射された光をそれぞれ異なる方向に出力する２つの照光面と、を有するレンズと、
を備えた装置である。
【００１０】
更に、
上記レンズは、上記受光面から少なくとも１つの上記照光面にかけて屈曲した形状に形成されていると共に、当該レンズ内を通過する光を拡散させる拡散部材にて形成されている、
ことを特徴とする。
【００１１】
また、本発明の他の形態である情報処理端末は、
光を発光する発光面を有する光源と、
上記光源から発光された光が入射される受光面と、当該入射された光をそれぞれ異なる方向に出力する２つの照光面と、を有するレンズと、
上記２つの照光面をそれぞれ外部に露出する各照光穴が形成された筺体と、
を備えた情報処理端末である。
【００１２】
更に、
上記レンズは、上記受光面から少なくとも１つの上記照光面にかけて屈曲した形状に形成されていると共に、当該レンズ内を通過する光を拡散させる拡散部材にて形成されている、
ことを特徴とする。
【発明の効果】
【００１３】
本発明は、以上のように構成されているため、これによると、１つの光源で複数方向に照光可能であり、さらに、照光面からの出力される光の照光ムラを抑制できる、という優れた効果を有する。
【発明を実施するための最良の形態】
【００１４】
本発明の一形態である照光装置は、
光を発光する発光面を有する光源と、
上記光源から発光された光が入射される受光面と、当該入射された光をそれぞれ異なる方向に出力する２つの照光面と、を有するレンズと、
を備えた装置である。
【００１５】
更に、
上記レンズは、上記受光面から少なくとも１つの上記照光面にかけて屈曲した形状に形成されていると共に、当該レンズ内を通過する光を拡散させる拡散部材にて形成されている、
ことを特徴とする。
【００１６】
また、上記照光装置では、
上記２つの照光面は、相互に反対方向を向いて形成されており、
上記レンズは、上記受光面から上記各照光面にかけてそれぞれ屈曲した形状に形成されている、
ことを特徴とする。
【００１７】
また、上記照光装置では、
上記レンズは、上記受光面から上記各照光面にかけてそれぞれ直角に屈曲して略Ｔ字形状に形成されている、
ことを特徴とする。
【００１８】
上記発明によると、まず、光源の発光面から発光された光はレンズの受光面に入射し、当該レンズ内を拡散して２つの照光面からそれぞれ出力される。このとき、レンズは、受光面から照光面にかけて屈曲した形状に形成されているため、受光面から照光面に光が直線的に伝搬せず、拡散して伝搬するため、照光面からの出力される光の照光ムラを抑制できる。特に、レンズを略Ｔ字状に形成することで、照光面から相互に反対方向に照光することができ、例えば、１つの光源で、照光装置を装備する機器の表裏面から、上述したように照光ムラのない光を照光することができる。
【００１９】
また、上記照光装置では、
上記レンズは、上記直角に屈曲した部分の上記受光面側とは反対側に、上記レンズの内部側で光を反射する反射面を有する、
ことを特徴とする。
【００２０】
また、上記照光装置では、
上記反射面は、上記受光面からの光を上記各照光面の形成個所方向に向かって反射するよう形成されている、
ことを特徴とする。
【００２１】
また、上記照光装置では、
上記反射面は、上記受光面からの光を拡散して反射するよう形成されている、
ことを特徴とする。
【００２２】
これにより、受光面からの光は、レンズ内を拡散して照光面に伝搬する以外に、レンズ内の反射面にて反射して照光面に拡散して伝搬するため、より効率よく光源からの光を外部に照光することができる。特に、反射面を反射光が拡散するよう形成することで、より照光ムラのない光を照光することができる。
【００２３】
また、本発明の他の形態である情報処理端末は、
光を発光する発光面を有する光源と、
上記光源から発光された光が入射される受光面と、当該入射された光をそれぞれ異なる方向に出力する２つの照光面と、を有するレンズと、
上記２つの照光面をそれぞれ外部に露出する各照光穴が形成された筺体と、
を備えた情報処理端末である。
【００２４】
更に、
上記レンズは、上記受光面から少なくとも１つの上記照光面にかけて屈曲した形状に形成されていると共に、当該レンズ内を通過する光を拡散させる拡散部材にて形成されている、
ことを特徴とする。
【００２５】
また、上記情報処理端末では、
上記２つの照光面は、相互に反対方向を向いて形成され、上記筺体の相互に反対方向を向く２面にそれぞれ形成された上記各照光穴からそれぞれ露出しており、
上記レンズは、上記受光面から上記各照光面にかけてそれぞれ屈曲した形状に形成されている、
ことを特徴とする。
【００２６】
また、上記情報処理端末では、
上記レンズは、上記受光面から上記各照光面にかけてそれぞれ直角に屈曲して略Ｔ字形状に形成されている、
ことを特徴とする。
【００２７】
また、上記情報処理端末では、
上記レンズは、上記直角に屈曲した部分の上記受光面側とは反対側に、上記レンズの内部側で光を反射する反射面を有する、
ことを特徴とする。
【００２８】
また、上記情報処理端末では、
上記反射面は、上記受光面からの光を上記各照光面の形成個所方向に向かって反射するよう形成されている、
ことを特徴とする。
【００２９】
また、上記情報処理端末では、
上記反射面は、上記受光面からの光を拡散して反射するよう形成されている、
ことを特徴とする。
【００３０】
上述した構成を有する、情報処理端末であっても、上記照光装置と同様の作用を有するために、上述した本発明の目的を達成することができる。
【００３１】
以下、本発明に係る照光装置の各実施形態について、図２乃至図７を参照しながら説明する。なお、以下の実施形態では、照光装置が携帯電話機に搭載されている場合を例示して説明するが、いかなる情報処理端末に搭載されてもよい。
【００３２】
＜実施形態１＞
本発明の第１の実施形態を、図２乃至図６を参照して説明する。図２は、携帯電話機の鏡体を示す図であり、図３は、その内部構造を示す図である。図４乃至図５は、携帯電話機の内部に搭載された照光装置を構成するレンズの構造を示す図である。図６は、照光時の様子を示す図である。
【００３３】
［構成］
図２は、折り畳み式の携帯電話機の一方の筺体である上側筺体１の構成を示す斜視図である。特に、図２（ａ）は、折り畳み式携帯電話機が折り畳まれたときに外側に位置する上側筺体１の表面１１を示しており、図２（ｂ）は、折り畳み式携帯電話機が折り畳まれたときに内側に位置する上側筺体１の裏面１２を示している。
【００３４】
そして、上側筺体１の表面１１及び裏面１２には、それぞれほぼ同一の位置に、後述するレンズ２の照光面２１，２２がそれぞれ露出する開口部１１ａ，１２ａがそれぞれ形成されている。なお、各開口部１１ａ，１２ａは、後述するように、略スリット状の照光面２１，２２の形状に対応して、略スリット状に形成されている。ここで、図２に示す矢印は、開口部１１ａ，１２ａから露出するレンズ２の照光面２１，２２から出力される光を示している。これについては後述する。
【００３５】
次に、図３乃至図５を参照して、上側筺体１の内部構造を説明する。まず、図３（ａ）は、上側筺体１を上方から見た図であり、図３（ｂ）、（ｃ）は、図３（ａ）に示すＡ−Ａ断面図である。この図に示すように、上側筺体１の内部には、光を発光する発光面を有する光源であるＬＥＤ３と、このＬＥＤ３から発光された光を外部に出力するレンズ２と、を備えている。そして、レンズ２は、略Ｔ字状に形成されており、ＬＥＤ３の発光面に近接して配置される受光面２３と、この受光面２３からそれぞれ反対方向にほぼ直角に屈曲した方向に位置する２つの照光面２１，２２と、を有している。さらに、レンズ２は、受光面２３とは反対側の内面に、光をレンズ２の内部側で反射させる反射面２４を有している。
【００３６】
そして、図３（ａ）、（ｂ）に示すように、レンズ２に形成された各照光面２１，２２が、上側筺体１の厚み方向の両端に位置し、それぞれ上側筺体１の表面１１及び裏面１２にそれぞれ形成された開口部１１ａ，１２ａから露出して配置される。また、各照光面２１，２２の間に、当該照光面２１，２２とはほぼ垂直方向を向いて位置する受光面２３は、上側筺体１の厚み方向のほぼ中央に位置することとなる。
【００３７】
なお、上記レンズ２は、例えば、上部筐体１の内部に装備された溶着ピン４にて溶着されて、上側筺体１内部に固定されている。また、ＬＥＤ３は、上側筺体１内部に装備された基板上に搭載されている。そして、これらは、ＬＥＤ３の発光面３１とレンズ２の受光面２３が向き合って、近接して配置された状態で組み付けられる。なお、上記では、レンズ２を上側筐体１内部に溶着ピン４にて溶着して固定している場合を例示したが、他の方法にてレンズ２を上側筺体１内部に固定してもよい。
【００３８】
ここで、レンズ２の構成を、図４乃至図５を参照してさらに詳述する。図４（ａ）は、レンズ２の構成を示す斜視図であり、図４（ｂ）は、図４（ａ）のレンズ２を背面側から見た図である。また、図５（ａ）は、レンズ２を上方から見た図であり、図５（ｂ）は、図５（ａ）のＢ−Ｂ断面図である。
【００３９】
これらの図に示すように、レンズ２は、まず、略板状部材２Ａを備えており、この板状部材２Ａの相互に反対方向を向いている両端面がそれぞれ照光面２１，２２を形成している。つまり、各照光面２１，２２は、細長い溝状つまりスリット状に形成されている。また、レンズ２は、照光面２１，２２が形成されている板状部材２Ａのほぼ中央に、上記照光面２１，２２に沿って、当該板状部材２Ａの板面からほぼ垂直に突出する突出部材２Ｂを備えている。そして、この突出部材２Ｂの突出端には、２面が谷状に配置され、ＬＥＤ２の発光面に対向して配置される受光面２３が形成されている。
【００４０】
また、上記突出部材２Ｂの突出方向とは反対側、つまり、上記板状部材２Ａのほぼ中央の受光面２３側とは反対側には、上記照光面２１，２２に沿って一様に山状に突出した反射面突出部２Ｃが設けられており、その内面に反射面２４が形成されている。具体的に、山状である反射突出部２Ｃの内面に形成された反射面２４は、それぞれ上記板状部材２Ａの照光面２１，２２、及び、上記ＬＥＤ３の発光面３１に対して、斜めに傾斜した２面にて形成されている。つまり、各反射面２４は、ほぼ垂直に位置する照光面２１，２２及びＬＥＤ３の発光面３１の両方に対して斜めに向くよう傾斜して形成されている。これにより、各反射面２４によって、ＬＥＤ３からの光が、各照光面２１，２２が形成されている方向に反射されることとなる。
【００４１】
そして、上述した板状部材２Ａ、突出部材２Ｂ、及び、反射面突出部２Ｃからなるレンズ２は、一体的に構成されており、全てが拡散率の高い乳白色の部材にて形成されている。また、上記反射面２４は、光を拡散して反射するようブラスト処理が施されている。
【００４２】
［動作］
上記構成による発光動作について、図６を参照して説明する。まず、ＬＥＤ３の発光面３１から発光された光は、近接して配置されている受光面２３に入射する（図６（ａ）の矢印Ｙ１参照）。その後、受光面２３に入射した光は、レンズ２内を拡散して伝搬し、照光面２１，２２から出力される（図６（ａ）の矢印Ｙ２，Ｙ３、図６（ｂ）の矢印Ｙ１１，Ｙ１２参照）。さらに、受光面２３に入射した光は、レンズ２内の反射面２４にて拡散反射し、当該反射した光は照光面２１，２２に向かって拡散して伝搬する。これにより、効率よく光源からの光を照光面２１，２２から外部に照光することができ、特に、光の強度を均一にして、照光ムラのない光を出力することができる。
【００４３】
そして、本実施形態では、レンズ２を略Ｔ字状に形成しているため、１つの光源で、相互に異なる２方向、例えば、携帯電話機の表裏面に同時に照光ムラのない光を照光することができる。
【００４４】
さらに、本実施形態では、レンズ２及びＬＥＤ３からなる照光装置の構成が簡易であるため、低コストであり、また、組み付けの容易化、さらには、小型化を図ることができる。
【００４５】
＜実施形態２＞
次に、本発明の第２の実施形態を、図７を参照して説明する。図７（ａ）は、本実施形態におけるレンズ２の構成を示す図であり、図７（ｂ）は、レンズ及びＬＥＤを搭載した携帯電話機の筺体内部の構成を示す図である。
【００４６】
図７（ａ）に示すように、本実施形態におけるレンズ２は、まず、２つの照光面２１，２２’が形成されている板状部材が、略Ｌ字状に中央で直角に屈曲して形成されている。これにより、照光面２１，２２’の向きが、相互に９０度異なる方向に形成されている。
【００４７】
そして、本実施形態における受光面２３は、上述同様に、照光面２１，２２’の間に位置しているものの、１つの照光面２２’に対して、ほぼ直線上に位置している。換言すると、本実施形態におけるレンズ２は、受光面２３から１つの照光面２１に対してのみ、その経路がほぼ９０度に屈曲した形状に形成されている。
【００４８】
なお、本実施形態においても、上記レンズ２は、全体的に、乳白色の部材にて一体的に形成されている。
【００４９】
これにより、図７（ｂ）の矢印Ｙ２１に示すように、ＬＥＤ３の発光面３１からの光がレンズ２の受光面２３に入射すると、レンズ２内にて拡散されて、各照光面２１，２２’に伝搬し、当該各照光面２１，２２’から出力されることとなる。このとき、特に、受光面２３からの経路が屈曲されて位置する照光面２１には直線的に光が伝搬しないため、当該照光面２１からは、光の強度が均一な照光ムラのない光が出力される。なお、レンズ２が拡散部材にて形成されているため、照光面２２’からも照光ムラのない光が出力される。
【００５０】
以上のように、本実施形態のレンズの構成によると、１つの光源で、相互に垂直の２方向、例えば、携帯電話機の表面と端面に同時に、照光ムラのない光を照光することができる。そして、上述した照光装置は、レンズ２及びＬＥＤ３からなる簡易な構成であるため、低コストであり、また、組み付けの容易化、さらには、小型化を図ることができる。
【００５１】
なお、上記では、レンズ２の形状を、受光面から照光面までの形状を直角に屈曲させた場合を例示したが、必ずしも直角に屈曲させることに限定されない。他の角度に屈曲させた形状であってもよい。
【００５２】
また、上記では、携帯電話機にレンズ及びＬＥＤからなる照光装置を１つのみ搭載した場合を例示したが、複数の照光装置を搭載してもよい。さらには、１つのＬＥＤに対して、当該ＬＥＤから出力される光が入射され照光面から出力されるレンズを複数個搭載してもよい。
【産業上の利用可能性】
【００５３】
本発明の照光装置は、照光することで種々の情報を報知する照光装置として携帯電話機などの情報処理端末に搭載して利用することができ、産業上の利用可能性を有する。
【図面の簡単な説明】
【００５４】
【図１】本発明に関連する照光装置の構成を示す図である。
【図２】実施形態１における照光装置を搭載した携帯電話機の筺体を示す図である。
【図３】図２に開示した筺体の内部構造を示す図であり、当該筺体内部に搭載された照光装置の構成を示す図である。
【図４】図３に開示した照光装置を構成するレンズの構造を示す図である。
【図５】図３に開示した照光装置を構成するレンズの構造を示す図である。
【図６】図３に開示した照光装置の照光時の様子を示す図である。
【図７】実施形態２における照光装置を構成するレンズ、及び、照光装置の照光時の様子を示す図である。
【符号の説明】
【００５５】
１  上側筺体
１１  表面
１２  裏面
１１ａ，１２ａ  開口部
２  レンズ
２Ａ  板状部材
２Ｂ  突出部材
２Ｃ  反射面突出部
２１，２２，２２’  照光面
２３  受光面
２４  反射面
３  ＬＥＤ
３１  発光面
【図１】
2009277508.tif 000003
【図２】
2009277508.tif 000004
【図３】
2009277508.tif 000005
【図４】
2009277508.tif 000006
【図５】
2009277508.tif 000007
【図６】
2009277508.tif 000008
【図７】
2009277508.tif 000009